(57)【要約】【課題】蓋体２０の開放が簡単に行える包装用容器１００を提供すること。【解決手段】係止段部の一部を外側に広げることにより載置面を形成するとともに、この載置面上に載置されて嵌合される嵌合面２２を嵌合フランジ２１の外側に一体的に形成し、さらに、この嵌合面２２に蓋側つまみ２３を一体的に形成したこと。【選択図】図４
2008024338.tif 000002
【特許請求の範囲】
【請求項１】
フランジを有した容器本体と、この容器本体の前記フランジより内側に形成した係止段部上に嵌合される嵌合フランジを有した蓋体とを備えた包装用容器であって、
前記係止段部の一部を外側に広げることにより載置面を形成するとともに、この載置面上に載置されて嵌合される嵌合面を前記嵌合フランジの外側に一体的に形成し、さらに、この嵌合面に蓋側つまみを一体的に形成して、
前記載置面上に前記嵌合面が載置されるようにしながら、前記容器本体に前記蓋体を嵌合したとき、前記蓋側つまみが前記フランジ内面に沿うことによって立ち上がるようにしたことを特徴とする包装用容器。
【請求項２】
前記容器本体は、前記フランジから外側に突出する本体側つまみを有していて、この容器本体に前記蓋体を嵌合したとき、前記蓋側つまみが前記フランジ内面に沿うことによって、前記本体側つまみとは重ならない位置で立ち上がるようにしたことを特徴とする請求項１に記載の包装用容器。
【請求項３】
フランジを有した容器本体と、この容器本体の前記フランジより内側に形成した係止段部上に嵌合される嵌合フランジ、及び蓋側つまみを有した蓋体とを備えた包装用容器であって、
前記容器本体の、前記フランジの内側で立ち上がる面に、前記蓋体側の嵌合フランジの外端縁が係止される複数の係合突起を形成するとともに、これら各係合突起が順に大きくなるようにしたことを特徴とする包装用容器。
【請求項４】
前記容器本体は、前記フランジから外側に突出する本体側つまみを有しており、前記各係合突起を前記本体側つまみの近傍から順に大きくなるようにしたことを特徴とする請求項３に記載の包装用容器。
【請求項５】
前記容器本体の係止段部上に載置され得る外形と、前記載置面上に載置される嵌合面と、この嵌合面と一体的に形成されて、前記蓋側つまみより短いつまみとを有した中皿を備えたことを特徴とする請求項１〜請求項４のいずれかに記載の包装用容器。
【発明の詳細な説明】
【技術分野】
【０００１】
本発明は、合成樹脂シートから成形される容器本体及び蓋体からなる包装用容器に関し、特に容器本体も蓋体も「つまみ」を有する包装用容器に関するものである。
【背景技術】
【０００２】
合成樹脂シートから成形される包装用容器は、安価で衛生的なものであることから、近年では大量生産され、使用もされている。特に、容器本体と、これに嵌合される蓋体とからなる包装用容器は、お弁当や惣菜等、所謂「中食」と呼ばれる食品を見栄え良く包装することができることから、種々な形状や意匠のものが、日々大量に生産されている。
【０００３】
そして、容器本体と蓋体とからなる包装用容器では、「内嵌合」であるか「外嵌合」であるかを問わず、容器本体に対して蓋体を嵌合させて、例えば「お持ち帰り」の際に中身が飛び出さないようにしてある。このような容器本体に蓋体を嵌合させた包装用容器は、持ち帰った後で蓋体を開けなければならないが、この「開封」を容易にするために、特許文献１等に示されているように、容器本体または蓋体に「つまみ」を形成することがなされている。
【特許文献１】特開平１０−２６４９５１号公報、要約等
【発明の開示】
【発明が解決しようとする課題】
【０００４】
この特許文献１に記載された発明は、「食品保存用容器における密封不完全と、厚肉構造による密封手段を起因とする電子レンジ調理事故の防止及び開蓋操作の簡便手段の提供」を目的として、例えば図９にも示すように、「ポリカーボネート樹脂を素材とする容器本体と蓋体の各周端部位に、嵌め合さることにより該容器本体を密封する嵌脱可能な密封部を周設すると共に、該容器本体及び蓋体の各外縁部位には、開蓋用の舌片を突設し、しかも該各舌片には互いに重なり合わない部分を備えてなる」ものであるから、「開閉操作が簡便である」（当該特許文献１の段落００１１）と考えられる。
【０００５】
しかしながら、この特許文献１の容器では、図９に示したように、「各舌片６、７には互いに重なり合わない部分６ｂ、７ｂ」が、平面的に見て部分的に重なり合わないようにしたものであるから、逆に言えば「各舌片６、７」には、「重なり部分６ａ、７ａ」が存在することになる。
【０００６】
「各舌片６、７」は、比較的小さく形成されることになるのであり、「重なり部分６ａ、７ａ」が存在すれば、視力の弱い人には非常に見にくいものとなっているのである。
【０００７】
また、特許文献１の段落０００３にも記載されているように、「食品保存用容器は…閉蓋状態での電子レンジ調理において、爆発ともいえる事故」が発生し易く、また蓋が開けにくいが、その理由は、容器本体に対する蓋体の密閉（嵌合）が強固だからである。換言すれば、容器本体に対する蓋体の嵌合は、中身の一部である煮汁等の液汁が零れでないように強固である必要がある反面、蓋体を外す際には簡単に外れるような嵌合でないと使用に不便である。
【０００８】
さらに、この種の容器本体と蓋体とからなる包装用容器では、例えばスーパーやコンビニエンスストア等のバックヤード（所謂店舗裏）で、お弁当等の中身を詰めて、店頭に出すための「パッキング」が行われているのであるが、その作業は簡単かつ確実でなければならない。例えば、図９に示した包装用容器では、「各舌片６、７」が同じ位置に来るように注意を払わないと、「各舌片６、７」を設けた意味がなくなってしまう。何故なら、「各舌片６、７」が図９に示した位置にないと、両舌片６、７を手で持って蓋体を容器本体から引き外し易くすることができなくなるからである。
【０００９】
そして、バックヤードでは、一旦詰めたお弁当等において各食品が正しく入れられているかをチェックするのであるが、そのチェックによって不足食品が発見されたり、また「盛り付け方」が規定のものと合っていない場合には、蓋体を外して再び嵌合しなければならない。その際に、嵌合が余り強すぎると蓋体または容器本体が割れることがあり、商品とすることができなくなってしまう。
【００１０】
そこで、本発明者等は、バックヤードでの作業が簡単に行えて、使用者も蓋体を簡単に開けられるような包装用容器とするにはどうしたらよいか、について種々検討を重ねてきた結果、本発明を完成したのである。
【００１１】
すなわち、本発明の第１に目的とするところは、つまみの形状を工夫することによって蓋体の開放が簡単に行える包装用容器を提供することであり、第２に、バックヤードでの詰め直しを簡単かつ確実に行えて、しかも使用者にとっても蓋体の開放が簡単に行える包装用容器を提供することにある。
【課題を解決するための手段】
【００１２】
以上の課題を解決するために、まず、請求項１に係る発明の採った手段は、後述する最良形態の説明中で使用する符号を付して説明すると、
「フランジ１１を有した容器本体１０と、この容器本体１０のフランジ１１より内側に形成した係止段部１３上に嵌合される嵌合フランジ２１を有した蓋体２０とを備えた包装用容器１００であって、
係止段部１３の一部を外側に広げることにより載置面１４を形成するとともに、この載置面１４上に載置されて嵌合される嵌合面２２を嵌合フランジ２１の外側に一体的に形成し、さらに、この嵌合面２２に蓋側つまみ２３を一体的に形成して、
載置面１４上に嵌合面２２が載置されるようにしながら、容器本体１０に蓋体２０を嵌合したとき、蓋側つまみ２３がフランジ１１内面に沿うことによって立ち上がるようにしたことを特徴とする包装用容器１００」
である。
【００１３】
すなわち、この請求項１に係る包装用容器１００は、図１に示すように、容器本体１０と、この容器本体１０に嵌合される蓋体２０とを備えたものであり、容器本体１０は、図２及び図３に示すように、フランジ１１を有したものである。また、この容器本体１０は、そのフランジ１１より内側に係止段部１３を形成したものである。
【００１４】
さらに、この容器本体１０は、図２の（ａ）及び図３に示すように、フランジ１１の内側に形成した係止段部１３の一部に、これを広げることにより形成した載置面１４を有するものであるが、後述する最良形態では、この載置面１４の形状として、方向性が一目で分かるような三角形にしてある。
【００１５】
一方、蓋体２０は、図４に示すように、容器本体１０側の係止段部１３上に嵌合される嵌合フランジ２１を有したものである。また、この蓋体２０は、上記容器本体１０側の係止段部１３に嵌合される嵌合フランジ２１を有しており、特に図４の（ａ）に示すように、この嵌合フランジ２１の外側に一体的に形成した嵌合面２２を有している。この嵌合面２２の後述する最良形態では、図４の（ａ）に示すように、容器本体１０側の載置面１４上に載置できる三角形にしたものである。そして、この嵌合面２２には蓋側つまみ２３が、最良形態の場合折曲部２３ａを介して一体的に形成してある。
【００１６】
さて、以上のように構成した容器本体１０に蓋体２０を嵌合するのであるが、このときには、容器本体１０側の載置面１４上に蓋体２０側の嵌合面２２が載置されるようにするのである。この蓋体２０側の嵌合面２２を容器本体１０側の載置面１４に合わせることは、両者が他の部分に対して目立つ形状、例えば三角形であることから、その位置が簡単に見分けられるものとなっているため、簡単であり確実に行える。
【００１７】
そして、蓋体２０を容器本体１０側に押しつければ、蓋体２０の嵌合フランジ２１が容器本体１０のフランジ１１の内側に確実に嵌合されるとともに、図６中の仮想線に示すように、蓋側つまみ２３がその折曲部２３ａにおいてフランジ１１内面に沿うように折曲されるのである。これにより、この蓋体２０側のつまみ３２は、図２の（ａ）中の仮想線及び図７に示すように、容器本体１０側のフランジ１１内面に沿って立ち上がるのである。
【００１８】
勿論、後述する最良形態では、蓋側つまみ２３を嵌合面２２に一体的に形成したのであるから、図２の（ａ）中の仮想線で示したように立ち上がった蓋側つまみ２３は、目立った位置にある。つまり、容器本体１０のフランジ１１を机の上に押さえながら、蓋側つまみ２３を左手の親指と人差し指とでつまんで引き剥がすように力を加えれば、蓋体２０の開封は無理なく行えるのである。
【００１９】
換言すれば、蓋側つまみ２３は、図７に示すように、略垂直に立ち上がっているから、そのつまみ操作が行い易くなっているのである。そして、蓋体２０が開いたときに、その蓋側つまみ２３に入れていた力を直ちに弱くすることができて、蓋体２０を中身を零さないで静かに開けることができるのである。
【００２０】
従って、この請求項１の包装用容器１００は、蓋体２０の開放を簡単に行えるものとなっているのである。
【００２１】
上記課題を解決するために、請求項２に係る発明の採った手段は、上記請求項１に記載の包装用容器１００について、
「容器本体１０は、フランジ１１から外側に突出する本体側つまみ１２を有していて、この容器本体１０に蓋体２０を嵌合したとき、蓋側つまみ２３がフランジ１１内面に沿うことによって、本体側つまみ１２とは重ならない位置で立ち上がるようにしたこと」
である。
【００２２】
すなわち、この請求項２に係る包装用容器１００は、図１に示すように、容器本体１０と、この容器本体１０に嵌合される蓋体２０とを備えたものであり、容器本体１０は、図２及び図３に示すように、フランジ１１と、このフランジ１１から外側に突出する本体側つまみ１２を有したものである。また、この容器本体１０は、そのフランジ１１より内側に係止段部１３を形成したものである。
【００２３】
さて、以上のように構成した容器本体１０に蓋体２０を嵌合するときには、上記請求項１のそれと同様に、容器本体１０側の載置面１４上に蓋体２０側の嵌合面２２が載置されるようにするのである。この蓋体２０側の嵌合面２２を容器本体１０側の載置面１４に合わせることは、両者が三角形であることからその位置が簡単に見分けられるし、両者共一個の本体側つまみ１２及び蓋側つまみ２３を有していることから、簡単であり確実に行える。
【００２４】
そして、蓋体２０を容器本体１０側に押しつければ、蓋体２０の嵌合フランジ２１が容器本体１０のフランジ１１の内側に確実に嵌合されるとともに、図６中の仮想線に示すように、蓋側つまみ２３がその折曲部２３ａにおいてフランジ１１内面に沿うように折曲されるのである。これにより、この蓋体２０側のつまみ３２は、図２の（ａ）中の仮想線及び図７に示すように、容器本体１０側のフランジ１１内面に沿って立ち上がるのであり、本体側つまみ１２とは重ならないものとなるのである。
【００２５】
勿論、後述する最良形態では、本体側つまみ１２は、フランジ１１の係止段部１３とは反対側に形成し、蓋側つまみ２３は、嵌合面２２に形成したのであるから、図２の（ａ）中の仮想線で示した立ち上がった蓋側つまみ２３、及び同図中の実線で示してある本体側つまみ１２は、互いに位置ズレしながらも近接した位置にある。つまり、包装用容器１００全体を机の上に置き、本体側つまみ１２を例えば右手の親指と人差し指とでつまみ、蓋側つまみ２３を左手の親指と人差し指とでつまんで、両者を引き剥がすように力を加えれば、蓋体２０の開封は無理なく行えるのである。
【００２６】
換言すれば、本体側つまみ１２と蓋側つまみ２３とは、図７に示すように、それぞれ水平及び垂直になっているから、それぞれのつまみ操作が行い易くなっているだけでなく、少し位置ズレさせてあるから、開封の力を一カ所（本体側つまみ１２等がある部分）に集中させることができるのである。そして、蓋体２０が開いたときに、その蓋側つまみ２３に入れていた力を直ちに弱くすることができて、蓋体２０を中身を零さないで静かに開けることができるのである。
【００２７】
従って、この請求項２の包装用容器１００は、上記請求項１のそれと同様な機能を発揮する他、本体側つまみ１２及び蓋側つまみ２３の存在によって、蓋体２０の開放をさらに一層簡単に行えるものとなっているのである。
【００２８】
また、上記課題を解決するために、請求項３に係る発明の採った手段は、後述する最良形態中で使用する符号を付して説明すると、
「フランジ１１を有した容器本体１０と、この容器本体１０のフランジ１１より内側に形成した係止段部１３上に嵌合される嵌合フランジ２１、及び蓋側つまみ２３を有した蓋体２０とを備えた包装用容器１００であって、
容器本体１０の、フランジ１１の内側で立ち上がる面に、蓋体２０側の嵌合フランジ２１の外端縁が係止される複数の係合突起１５を形成するとともに、これら各係合突起１５が順に大きくなるようにしたことを特徴とする包装用容器１００」
である。
【００２９】
すなわち、この請求項２の包装用容器１００は、上述した包装用容器１００と同様に、容器本体１０と、これに嵌合される蓋体２０とを有したものであるが、容器本体１０の、フランジ１１の内側で立ち上がる面に、図２の（ａ）に示すように、蓋体２０側の嵌合フランジ２１の外端縁が係止される複数の係合突起１５を形成したものであり、これらの係合突起１５以外は、上述した請求項１または請求項２の包装用容器１００と同じである。そして、この請求項３の発明においては、これら各係合突起１５を順に大きくしたものである。
【００３０】
各係合突起１５は、図２の（ａ）及び図３に示すように、フランジ１１の内側で立ち上がる面に位置するものであり、当該容器本体１０の成形時に、フランジ１１の内側で立ち上がる面の一部を内方に膨出させて形成したものである。
【００３１】
また、各係合突起１５は、容器本体１０に蓋体２０を嵌合させたとき、図１の（ｂ）に示すように、蓋体２０側の嵌合フランジ２１の外端縁が係止されることになるものである。つまり、蓋体２０の容器本体１０に対する嵌合強度は、当該蓋体２０の嵌合フランジ２１の外面が容器本体１０側のフランジ１１の内側面に対して圧接する力と、嵌合フランジ２１の外端縁の各係合突起１５の下端に係合する係合力とによって確保されているのである。従って、嵌合フランジ２１の外端縁と各係合突起１５との下端に係合する係合力は、係合突起１５が順に大きくなるにつれて順に大きくなるのである。
【００３２】
ここで、包装用容器１００内の収納物に不足があったり、盛り付け方法が違っていたりした場合に、蓋体２０を外さなければならないが、その作業は、上記請求項１または請求項２の包装用容器１００と同様に、蓋側つまみ２３を利用して行えばよい。特に、この請求項３の包装用容器１００では、各係合突起１５を順に大きくなるようにしてあったから、蓋体２０は、最も小さい係合突起１５から最も大きいそれの順に外れることになる。
【００３３】
何故なら、開放のための力は各係合突起１５に掛かるが、一番小さい係合突起１５では係合力が一番弱いから、この一番小さい係合突起１５から開放が始まる。一番小さい係合突起１５から蓋体２０側の嵌合フランジ２１が外れれば、この部分が浮き上がるから、開放の力は、次に小さい係合突起１５に加わることになり、最初の力よりも小さい力で二番目に小さい係合突起１５からの蓋体２０の外しが自然になされる。以下、順に大きくなる係合突起１５毎にその開放がなされていくのである。
【００３４】
換言すれば、蓋体２０の容器本体１０からの開放は、各係合突起１５の小さい順に行われるのであり、蓋体２０の特に蓋側つまみ２３が破損することなく無理なく行われるのである。
【００３５】
勿論、食品を追加したり盛り付けが訂正されれば、前述したのと同様にして、蓋体２０の容器本体１０に対する嵌合を再び行えばよいのである。
【００３６】
従って、この請求項３に係る包装用容器１００は、バックヤードでの詰め直しを、蓋側つまみ２３を破損させることなく簡単かつ確実に行えて、しかも使用者にとっても蓋体２０の開放が簡単に行えるものとなっているのである。
【００３７】
また、上記課題を解決するために、請求項４に係る発明の採った手段は、上記請求項３に記載の包装用容器１００について、
「容器本体１０は、フランジ１１から外側に突出する本体側つまみ１２を有しており、各係合突起１５を本体側つまみ１２の近傍から順に大きくなるようにしたこと」
である。
【００３８】
すなわち、この請求項４の包装用容器１００は、上述した請求項３の包装用容器１００と同様に、複数の係合突起１５を形成した容器本体１０と、これに嵌合される蓋体２０とを有したものであるが、各係合突起１５以外は、上述した請求項１または請求項２の包装用容器１００と同じである。そして、この請求項４の発明においては、これら各係合突起１５を本体側つまみ１２の近傍から順に大きくしたものである。
【００３９】
ここで、各係合突起１５を本体側つまみ１２の近傍から順に大きくしたとは、本体側つまみ１２に一番近い係合突起１５が一番小さいことを意味しており、本体側つまみ１２の一方側近傍の１個の係合突起１５が一番小さくて、他方側のそれが一番大きくなる場合（一方向順に大きくなっていく場合）や、本体側つまみ１２の両側近傍の２個の係合突起１５が一番小さくて、本体側つまみ１２から最も離れたそれが一番大きくなる場合（本体側つまみ１２を中心にして両方向順に大きくなっていく場合）も含むものである。
【００４０】
さて、包装用容器１００内の収納物に不足があったり、盛り付け方法が違っていたりした場合に、蓋体２０を外さなければならないが、その作業は、上記請求項２の包装用容器１００と同様に、本体側つまみ１２及び蓋側つまみ２３を利用して行えばよい。特に、この請求項４の包装用容器１００では、これら各係合突起１５を本体側つまみ１２の近傍から順に大きくなるようにしてあったから、蓋体２０は、本体側つまみ１２に最も近くて最も小さい係合突起１５から外れることになる。以下、順に大きくなる係合突起１５毎にその開放がなされていくのである。
【００４１】
換言すれば、蓋体２０の容器本体１０からの開放は、各係合突起１５が本体側つまみ１２の近傍から大きくなっていく順に、つまり本体側つまみ１２の近傍を出発点とした常に一定方向で行われるのであり、蓋体２０の特に蓋側つまみ２３が破損することなく無理なく行われるのである。
【００４２】
従って、この請求項４に係る包装用容器１００は、バックヤードでの詰め直しを、蓋側つまみ２３の破損を伴うことなく簡単かつ確実に行えて、しかも使用者にとっても蓋体２０の開放がより一層簡単に行えるものとなっているのである。
【００４３】
さらに、上記課題を解決するために、請求項５に係る発明の採った手段は、上記請求項１〜請求項４のいずれかに記載の包装用容器１００について、
「容器本体１０の係止段部１３上に載置され得る外形と、載置面１４上に載置される嵌合面３１と、この嵌合面３１と一体的に形成されて、蓋側つまみ２３より短いつまみ３２とを有した中皿３０を備えたこと」
である。
【００４４】
すなわち、この請求項５の包装用容器１００は、上記請求項１〜請求項４のいずれかに記載の包装用容器１００に、図８に示すような中皿３０を追加したものである。
【００４５】
この中皿３０は、図８の（ａ）に示すように、容器本体１０内に入り得る大きさの外形を有しているものであり、その載置縁３３は、容器本体１０側の係止段部１３上に載置されることになるものである。この場合、図７の（ａ）にも示すように、嵌合面３１が容器本体１０側の載置面１４上に載置しないと、この中皿３０を容器本体１０内に完全に収納・載置することができなくなっている。
【００４６】
換言すれば、この中皿３０には、何らの穴も形成されてはいないのであり、当該中皿３０上全体に必要な食品を広げられるのである。従来の中皿では、これを指で摘み出せるようにするために、この中皿の一部に指を差し入れるための穴が形成してあったが、本発明の中皿３０にで、この穴は全く必要がなく、従ってその上面全体を載置面として利用できるものとなっているのである。
【００４７】
そして、この中皿３０は、蓋体２０を容器本体１０に嵌合するに際しては、その載置縁３３を容器本体１０側の載置面１４上に載置するのであるが、その際には、嵌合面３１が容器本体１０側の載置面１４上に乗るようにするのである。なお、この中皿３０を採用する場合、図７の（ｂ）に示すように、その嵌合面３１上には蓋体２０側の嵌合面２２が載置される。
【００４８】
以上のようにしておいてから蓋体２０を容器本体１０側に押しつければ、蓋体２０の嵌合フランジ２１が容器本体１０のフランジ１１の内側に確実に嵌合されるとともに、図６中の仮想線に示したように、蓋側つまみ２３と中皿３０側のつまみ３２とがフランジ１１内面に沿うように折曲されるのである。これにより、この蓋体２０側のつまみ３２と中皿３０側のつまみ３２とは、図７の（ｂ）に示したように、容器本体１０側のフランジ１１内面に沿って立ち上がるのであり、本体側つまみ１２とは重ならない。
【００４９】
また、このとき、中皿３０側のつまみ３２は蓋側つまみ２３より小さいから、この蓋側つまみ２３や容器本体１０側の本体側つまみ１２のつまみ作業は中皿３０とは全く無関係に行える。
【００５０】
従って、この請求項５の包装用容器１００は、上記請求項１〜請求項４のいずれかのそれと同様な機能を発揮する他、中皿３０の上に収納物を綺麗に並べることができるものとなっているのである。
【発明の効果】
【００５１】
以上、説明した通り、まず請求項１の発明においては、
「フランジ１１を有した容器本体１０と、この容器本体１０のフランジ１１より内側に形成した係止段部１３上に嵌合される嵌合フランジ２１を有した蓋体２０とを備えた包装用容器１００であって、
係止段部１３の一部を外側に広げることにより載置面１４を形成するとともに、この載置面１４上に載置されて嵌合される嵌合面２２を嵌合フランジ２１の外側に一体的に形成し、さらに、この嵌合面２２に蓋側つまみ２３を一体的に形成して、
載置面１４上に嵌合面２２が載置されるようにしながら、容器本体１０に蓋体２０を嵌合したとき、蓋側つまみ２３がフランジ１１内面に沿うことによって立ち上がるようにしたこと」
にその構成上の特徴があり、これにより、蓋体２０の開放が簡単に行える包装用容器１００を提供することができるのである。
【００５２】
また、請求項３の発明においては、
「フランジ１１を有した容器本体１０と、この容器本体１０のフランジ１１より内側に形成した係止段部１３上に嵌合される嵌合フランジ２１、及び蓋側つまみ２３を有した蓋体２０とを備えた包装用容器１００であって、
容器本体１０の、フランジ１１の内側で立ち上がる面に、蓋体２０側の嵌合フランジ２１の外端縁が係止される複数の係合突起１５を形成するとともに、これら各係合突起１５が順に大きくなるようにしたこと」
にその構成上の特徴があり、これにより、バックヤードでの詰め直しを簡単かつ確実に行えて、しかも使用者にとっても蓋体２０の開放が簡単に行える包装用容器１００を提供することができるのである。
【発明を実施するための最良の形態】
【００５３】
次に、上記のように構成した各請求項に係る発明を、図面に示した最良の形態である包装用容器１００について説明するが、この最良形態の包装用容器１００は上記各発明の全てを含むものである。
【００５４】
図１には、本発明に係る包装用容器１００であって、その容器本体１０に蓋体２０を嵌合した状態が示してあるが、この図１の（ａ）は嵌合時の正面図であり、図１の（ｂ）は、後述する各係合突起１５を中心に切って見た縦断面図である。
【００５５】
容器本体１０は、合成樹脂シートに対して真空または圧空成形することにより形成したもので、図２及び図３に示したように、底面の周縁から立ち上がる側壁の上端にフランジ１１を形成し、このフランジ１１の内側全周に、図２の（ａ）及び図３に示したように、係止段部１３を形成したものである。また、この係止段部１３の一部は、略三角形状に広げてあり、この広がった部分を載置面１４としてある。
【００５６】
この載置面１４の、フランジ１１とは反対側に本体側つまみ１２が一体的に形成してあるが、この本体側つまみ１２は、後述する蓋体２０が当該容器本体１０に嵌合された後も、図７に示したように、水平にかつ外方に突出ものである。つまり、この容器本体１０は、フランジ１１から外側に突出する本体側つまみ１２を有したものである。
【００５７】
また、この最良形態の包装用容器１００は、図２の（ａ）及び図３に示したように、フランジ１１の内側面にこのフランジ１１を内側へ膨出させることにより形成した複数（本最良形態では合計４個）の係合突起１５を有しているものである。そして、これら各係合突起１５は、本体側つまみ１２の近傍から順に大きくなるようにしてある。
【００５８】
蓋体２０は、合成樹脂シートに対して真空または圧空成形することにより形成したもので、図４に示したように、嵌合フランジ２１を有したものであり、この嵌合フランジ２１は、容器本体１０のフランジ１１より内側に形成した係止段部１３上に嵌合されるものである。この嵌合フランジ２１の一部には、この嵌合フランジ２１から外方に突出することになる嵌合面２２が一体的に形成してあり、さらにこの嵌合面２２の外側には蓋側つまみ２３が一体的に形成してある。
【００５９】
なお、本最良形態の蓋側つまみ２３は、図７にも示したように、折曲部２３ａを介して嵌合フランジ２１側に一体成形したものであり、この折曲部２３ａが存在することにより、蓋側つまみ２３が折曲され易くなっているものである。
【００６０】
また、以上の包装用容器１００には、中皿３０が使用されることもある。この中皿３０は、図８にも示したように、容器本体１０の係止段部１３上に載置され得る外形と、載置面１４上に載置される嵌合面３１と、この嵌合面３１と一体的に形成されて、蓋側つまみ２３より短いつまみ３２とを有したものである。
【００６１】
この中皿３０は、また、図８の（ａ）に示したように、その外周を載置縁３３としたものであり、この載置縁３３の内側部分には、何らの穴、あるいは開口も形成してはいないものである。つまり、この中皿３０は、その載置縁３３によって容器本体１０の係止段部１３上に載置されるのであるが、その際に、図７の（ｂ）に示したように、嵌合面３１が容器本体１０側の載置面１４上に載置され、この嵌合面３１上に蓋体２０側の嵌合面２２が載置されるのである。
【００６２】
この中皿３０は、その載置縁３３を容器本体１０側の載置面１４上に載置するのであるが、その際には、嵌合面３１が容器本体１０側の載置面１４上に乗るようにするのである。なお、この中皿３０を採用する場合、その嵌合面３１上には蓋体２０側の嵌合面２２が載置される。
【００６３】
以上のようにしておいてから蓋体２０を容器本体１０側に押しつければ、蓋体２０の嵌合フランジ２１が容器本体１０のフランジ１１の内側に確実に嵌合されるとともに、図６中の仮想線に示したように、蓋側つまみ２３と中皿３０側のつまみ３２とがフランジ１１内面に沿うように折曲されるのである。これにより、この蓋体２０側のつまみ３２と中皿３０側のつまみ３２とは、図７の（ｂ）に示したように、容器本体１０側のフランジ１１内面に沿って立ち上がるのであり、本体側つまみ１２とは重ならない。
【００６４】
また、このとき、中皿３０側のつまみ３２は蓋側つまみ２３より小さいから、この蓋側つまみ２３のつまみ作業は中皿３０とは全く無関係に行える。
【００６５】
（その他の実施例）
包装用容器１００を構成する容器本体１０及び蓋体２０は、図２及び図４の各（ａ）に示したように「円形」を基本形態としたものであったが、本発明は、これに限らず、四角形状や多角形状の容器本体１０や蓋体２０にも適用できるものである。その場合には、容器本体１０側の載置面１４、及びその上に載置されることになる蓋体２０側の嵌合面２２は、コーナー部の一つに形成すればよく、これに合わせて本体側つまみ１２や蓋側つまみ２３を形成すればよい。このことは、中皿３０についても同様である。
【図面の簡単な説明】
【００６６】
【図１】本発明に係る包装用容器を示すもので、（ａ）は正面図、（ｂ）は係合突起１５を中心にした縦断面図である。
【図２】同包装用容器を構成している容器本体を示すもので、（ａ）は平面図、（ｂ）は正面図である。
【図３】同容器本体の斜視図である。
【図４】同包装用容器を構成している蓋体を示すもので、（ａ）は平面図、（ｂ）は正面図である。
【図５】図２中の１−１線に沿ってみた容器本体の部分拡大断面図である。
【図６】図４中の２−２線に沿ってみた蓋体の部分拡大断面図である。
【図７】同容器本体に蓋体を嵌合したときの状態を蓋側つまみを中心にして示すもので、（ａ）は中皿を有さない場合の部分拡大断面図、（ｂ）は中皿を有した場合の部分拡大断面図である。
【図８】同包装用容器を構成している中皿を示すもので、（ａ）は平面図、（ｂ）は正面図である。
【図９】従来の技術を示す平面図である。
【符号の説明】
【００６７】
１００    包装用容器
１０    容器本体
１１    フランジ
１２    本体側つまみ
１３    係止段部
１４    載置面
１５    係合突起
２０    蓋体
２１    嵌合フランジ
２２    嵌合面
２３    蓋側つまみ
２３ａ  折曲部
３０    中皿
３１    嵌合面
３２    つまみ
３３    載置縁
【図１】
2008024338.tif 000003
【図２】
2008024338.tif 000004
【図３】
2008024338.tif 000005
【図４】
2008024338.tif 000006
【図５】
2008024338.tif 000007
【図６】
2008024338.tif 000008
【図７】
2008024338.tif 000009
【図８】
2008024338.tif 000010
【図９】
2008024338.tif 000011